(57)【特許請求の範囲】
【請求項１】
被写体像を連続撮影して画像を取込む連続撮影手段と、連続撮影された画像を１／ｎのサイズに縮小して記録する連続撮影画像記録手段と、それらの縮小画像を順次拡大再生して表示する表示手段を備えたデジタルカメラにおいて、
タイトル画像を取得し、
取得したタイトル画像を前記１／ｎのサイズに縮小し、縮小したタイトル画像を前記記録されている複数の縮小画像に順次合成し、タイトルを合成した縮小画像を順次拡大表示する、ことを特徴とするタイトル合成方法。
【請求項２】
前記タイトル画像の合成は、縮小したタイトル画像を前記記録されている複数の縮小画像にそれぞれ対応させて順次合成することを特徴とする請求項１記載のタイトル合成方法。
【請求項３】
前記タイトル画像の合成は、縮小したタイトル画像を前記記録されている複数の縮小画像に対しｍコマおきに合成することを特徴とする請求項１記載のムービー画像のタイトル合成方法。
【請求項４】
前記タイトル画像の合成は、取得したタイトル画像を複数に分割して、分割したタイトル画像の各々を前記記録されている複数の縮小画像に順次合成することを特徴とする請求項１記載のタイトル合成方法。
【請求項５】
被写体像を連続撮影して画像を取込む連続撮影手段と、連続撮影された画像を１／ｎのサイズに縮小して記録する連続撮影画像記録手段と、それらの縮小画像を順次拡大再生して表示する表示手段を備えたデジタルカメラにおいて、
タイトル画像を取得するタイトル画像取得手段と、
取得したタイトル画像を前記１／ｎのサイズに縮小するタイトル画像縮小手段と、縮小したタイトル画像を前記記録されている複数の縮小画像に順次合成するタイトル合成手段と、前記タイトルを合成した縮小画像を順次拡大表示する画像表示手段と、を有することを特徴とするデジタルカメラ。
【発明の詳細な説明】
【０００１】
【発明の属する技術分野】
本発明は、デジタルカメラのタイトル合成技術に関する。
【０００２】
【従来の技術】
従来のデジタルカメラで同一被写体を注目被写体として１シャッターでｎ（ｎ＝４，９，または１６）枚の画像（連続画像）を撮影して１／ｎのサイズに縮小した簡易画像を１枚の画像として記録し、再生時にそれらｎ個の簡易画像を順次拡大表示して動画表示（ムービー表示）するムービー画像表示機能を備えたものがある。
【０００３】
【発明が解決しようとする課題】
しかしながら、従来のデジタルカメラでは静止画にタイトル（標題）を貼り付けて表示することはできてもムービー画像にタイトルを貼り付けて表示することはできなかった。
【０００４】
本発明は上記課題を解決するためになされたものであり、動画表示する各画像にタイトルを貼り付けて動画表示するタイトル合成方法およびデジタルカメラの提供を目的とする。
【０００５】
【課題を解決するための手段】
上記の目的を達成するために、第１の発明のタイトル合成方法は被写体像を連続撮影して画像を取込む連続撮影手段と、連続撮影された画像を１／ｎのサイズに縮小して記録する連続撮影画像記録手段と、それらの縮小画像を順次拡大再生して表示する表示手段を備えたデジタルカメラにおいて、タイトル画像を取得し、取得したタイトル画像を前記１／ｎのサイズに縮小し、縮小したタイトル画像を前記記録されている複数の縮小画像に順次合成し、タイトルを合成した縮小画像を順次拡大表示する、ことを特徴とする。
【０００６】
また、第２の発明は上記第１のタイトル合成方法において、前記タイトル画像の合成は、縮小したタイトル画像を前記記録されている複数の縮小画像にそれぞれ対応させて順次合成することを特徴とする。
【０００７】
また、第３の発明は上記第１のタイトル合成方法において、前記タイトル画像の合成は縮小したタイトル画像を前記記録されている複数の縮小画像に対しｍコマおきに合成することを特徴とする。
【０００８】
また、第４の発明は上記第１のタイトル合成方法において、前記タイトル画像の合成は取得したタイトル画像を複数に分割して、分割したタイトル画像の各々を前記記録されている複数の縮小画像に順次合成することを特徴とする。
【０００９】
また、第５の発明のデジタルカメラは被写体像を連続撮影して画像を取込む連続撮影手段と、連続撮影された画像を１／ｎのサイズに縮小して記録する連続撮影画像記録手段と、それらの縮小画像を順次拡大再生して表示する表示手段を備えたデジタルカメラにおいて、タイトル画像を取得するタイトル画像取得手段と、取得したタイトル画像を前記１／ｎのサイズに縮小するタイトル画像縮小手段と、縮小したタイトル画像を前記記録されている複数の縮小画像に順次合成するタイトル合成手段と、前記タイトルを合成した縮小画像を順次拡大表示する画像表示手段と、を有することを特徴とする。
【００１０】
【発明の実施の形態】
＜回路構成例＞
図１は、本発明を適用したデジタルカメラ（電子カメラ）の回路構成例を示すブロック図であり、デジタルカメラ１００は、操作部１、撮像部２、信号画像処理部３、制御部４、作業用メモリ（ＤＲＡＭ）５、圧縮／伸張部６、記録用メモリ７、表示部８、および液晶ディスプレイ（ＬＣＤ）９を備えている。
【００１１】
操作部１は電源スイッチや処理モード選択ボタン等の他、シャッターボタン等の撮像用ボタンまたはスイッチ等を備えている。ユーザが操作部１のスイッチやボタン等を操作すると操作内容に対応した電気信号（コード）が制御部４に送られる。これにより、ユーザは制御部４にデジタルカメラ１００の起動や処理動作上必要な指示を与えることができる。
【００１２】
撮像部２は撮像レンズやレンズ駆動機構、絞り機構等の光学系と撮像レンズを介して集光された光学像を電気信号に変換するＣＣＤ等の撮像素子と、撮像素子駆動部および得られた電気信号をデジタルデータ（画像データ）に変換する信号変換部を有している。
【００１３】
画像処理部３は撮像部２からの出力を処理して、輝度信号Ｙと色差信号Ｃｂ，Ｃｒに変換しＹ，Ｃｂ，Ｃｒデータを作業用メモリ５に転送して記憶する。
また、画像処理部３は動画モードのとき、連続的に撮影されたｎ個の画像を１／ｎのサイズに縮小して簡易画像データとして作業用メモリ５に確保された１フレーム分の画像領域に記憶する（図３（図３の例ではｎ＝１６））。なお、縮小処理は間引法あるいは平均法等によって行なわれ、連続的に撮影されたｎ個の画像をそれぞれ１フレームをｎ（例えば、ｎ＝４，ｎ＝９，ｎ＝１６）等分した大きさの簡易画像に縮小する。
【００１４】
制御部４はＣＰＵ，プログラム格納用メモリ（ＲＯＭ）および一時記憶用メモリ（ＲＯＭ）（図示せず）を備え、プログラム格納用メモリに格納された制御プログラムおよび各処理モードに対応する処理モード実行プログラム群によって、デジタルカメラ１００全体の動作制御と各処理モードでの処理の実行制御、例えば、撮像や画像の記録、再生、表示の他、本発明のタイトル表示を含む動画モードの他、デジタルカメラ１００の各種処理モードの実行制御を行なう。
【００１５】
作業用メモリ５はＤＲＡＭ等の大容量揮発性メモリからなり、１フレーム分の画像領域や、タイトル画像用領域や、タイトル合成用領域を有している。
【００１６】
圧縮／伸張部６は符号・復号器を有し、通常モードでは、撮像時には作業用メモリ５に書込まれている１フレーム分のＹ，Ｃｂ，Ｃｒデータを読み出してＪＰＥＧ圧縮処理を施して記録用メモリ７に１フレーム分の画像圧縮データとして記録する。また、再生時には記録用メモリ７に記録されていた圧縮データに伸張処理を施して１フレーム分の画像のＹ，Ｃｂ，Ｃｒデータを再生する。なお、動画モードでも動画撮影時に作業用メモリ５の画像領域に格納されたｎ個の動画画像をまとめて１フレームの画像としてＪＰＥＧ圧縮し記録用メモリ７に記録する。
【００１７】
記録用メモリ７はフラッシュメモリ或いはメモリカード等の記録媒体からなり、圧縮処理された画像データや撮影画像よりサイズや記録密度の小さな簡易画像データを記録する。また、後述するようにタイトルと動画を対応づけて記録し、タイトル表示の際に動画に対応して記録されたタイトルを表示するようにした場合にはタイトル対応リスト格納領域が確保される。また、１画像１ファイルとして画像管理を行なうようにした場合には画像データをファイル単位に管理する画像ファイル管理リスト領域が確保される。
【００１８】
表示部８はビデオエンコーダおよびＶＲＡＭ等の画像メモリおよび液晶ディスプレイ（ＬＣＤ）からなる表示画面を有し、作業用メモリ５から送られるＹ，Ｃｂ，Ｃｒデータをイメージ化して液晶ディスプレイ（ＬＣＤ）９上に画像表示する。
【００１９】
＜通常モードおよび動画モード時の基本動作＞
図２はデジタルカメラ１００の通常モードおよび動画モード時の基本的動作を示すフローチャートである。
ステップＳ１：動画モードの選択
図２で、ユーザが操作部１の動画モード選択ボタンを操作する（または動画モード選択アイコンをポイントする）とＳ２に遷移し、動画モード選択以外の操作を行なうと他のモード処理に遷移する。
【００２０】
ステップＳ２：処理の選択
画面上にタイトル作成アイコン、動画撮影アイコン、動画表示（または動画再生）アイコン（図示せず）が表示され、ユーザがタイトル作成アイコンを選択するとＳ３に遷移し、動画撮影アイコンを選択するとＳ９に遷移し、動画表示アイコンを選択するとＳ１２に遷移する。
【００２１】
ステップＳ３：タイトル作成方法の選択
上記ステップＳ２でタイトル作成が選択されると、更に、タイトル撮影アイコン、タイトル抽出アイコン（図示せず）が表示されるので、タイトルを撮影するか記録画像からタイトルを取り出すかの選択を行なう。そして、ユーザがタイトル撮影アイコンを選択するとＳ４に遷移し、タイトル抽出アイコンを選択するとＳ５に遷移する。
【００２２】
ステップＳ４：タイトルの撮像
上記ステップＳ３でタイトル撮影が選択されると撮像可能となる。ユーザがタイトルとしたい文字を書いた紙等を被写体として撮像する。撮像処理は通常の撮影モードでの撮像の場合と同様であり、シャッターボタンを押すと撮像部２で電気信号に変換されたタイトル画像データが信号処理部３でＹ，Ｃｂ，Ｃｒデータとされ、作業用メモリ５のタイトル用画像領域に取込まれる。また、Ｙ，Ｃｂ，Ｃｒデータが表示部８に送られてイメージ化されて液晶ディスプレイ９に静止画表示される。タイトル撮像処理が終るとＳ７に遷移する。
【００２３】
ステップＳ５：記録画像の再生
上記ステップＳ３でタイトル抽出が選択されると、記録画像データを記録メモリ７から順次読み出して、圧縮／伸張部で１フレームの大きさのＹ，Ｃｂ，Ｃｒデータに伸張し、作業用メモリ５の画像領域に記憶すると共に、Ｙ，Ｃｂ，Ｃｒデータを表示部８に送出する。表示部８は受取ったＹ，Ｃｂ，Ｃｒデータをイメージ化して液晶ディスプレイ（ＬＣＤ）９上に画像表示する。
【００２４】
ステップＳ６：記録画像の早送り
ユーザは操作部１の早送りボタンを操作して、所望のタイトル画像または所望のタイトル画像（部分画像）を含む画像が見つかるまで画面を早送りし、所望のタイトル画像または所望のタイトル画像を含む画像が見つかった場合には早送りボタンから手を離すとその画像が静止画として表示される。ユーザが確認ボタンを操作してその画像が所望のタイトルを含むことを確認するとＳ７に遷移する。
【００２５】
ステップＳ７：タイトルの切出し
上記ステップＳ４で撮像した画像またはステップＳ６で得た所望のタイトル画像を含む画像からタイトル画像を切出す。切出しはユーザがカーソル等で画面に表示したタイトル部分をポイントするとタイトルに外接する枠が表示される。枠が小さかったり、大き過ぎる場合にはカーソル等で大きさを指定して調整する。確認ボタンが押されると作業用領域５の画像領域に記憶されている枠内の部分が切出される（すなわち、枠外の部分のデータが消去され、タイトルのみとなる）。
【００２６】
ステップＳ８：タイトル画像の記録
上記ステップＳ６で切出しが終ると、作業用領域５の画像領域に残されたタイトル画像が圧縮／伸張部６に送られる。圧縮／伸張部６ではタイトル画像にＪＰＥＧ圧縮を施して記録メモリ７のタイトル記録領域に記録して処理を終了する。
【００２７】
ステップＳ９：動画撮影（連写）
上記ステップＳ２で動画撮影が選択されると、動画撮影可能となる。ユーザがシャッターボタンを押したまま同一の被写体にカメラを向けていると同一の被写体が所定時間間隔で連続的に撮影され、撮像部２で電気信号に変換される。
【００２８】
ステップＳ１０：簡易画像の生成
撮像部２からの画像データが信号処理部３で所定サイズの簡易画像データに縮小され、ｎ個の画像がそれぞれ簡易画像データとして作業用メモリ５に確保された１フレーム分の画像領域に記憶される。なお、実施例では画像データを１／１６のサイズに縮小し、図３に示すように１６個の簡易画像［１］，［２］，・・・，［１６］を１フレームのサイズの画像領域に順次記憶している（以下、ｎ＝１６として説明するが、これに限定されず、ｎ＝４，ｎ＝９，ｎ＝２５，・・でもよい）。
【００２９】
ステップＳ１１：簡易画像の記録
作業用メモリ５の１フレームのサイズの画像領域に記憶された簡易画像が１６個になると、１６個の簡易画像をまとめて１フレームのサイズの画像データとして圧縮／伸張部６に送出する。圧縮／伸張部６では受取った画像データをＪＰＥＧ圧縮して記録用メモリ７に記録する。
【００３０】
ステップＳ１２：動画の再生
上記ステップＳ２で動画表示が選択されると、記録用メモリ７に記録されている圧縮動画データを読み出し、圧縮／伸張部６でＹ，Ｃｂ，Ｃｒデータに伸張して作業用メモリ５の画像領域に記憶する。これにより、作業用メモリ５の画像領域には１／１６のサイズの簡易画像が１６個記憶されることとなる。
【００３１】
ステップＳ１３：タイトルの有無の判定
ここで、対応するタイトル画像の有無（或いは、タイトル表示の可否）を調べ、タイトル画像がない場合（或いは、タイトル表示をしない場合）にはＳ１６に遷移して簡易画像だけを動画表示する。
【００３２】
ステップＳ１４：タイトルの再生
上記ステップＳ１３で、対応するタイトル画像が記録されている場合（或いは、タイトル表示をする場合）には、記録用メモリ７からタイトル画像を読み出して、圧縮／伸張部６でＹ，Ｃｂ，Ｃｒデータに伸張して作業用メモリ５のタイトル用画像領域に記憶する。
【００３３】
ステップＳ１５：タイトルの合成
作業用メモリ５のタイトル用画像領域に記憶したタイトル画像を間引き或いは平均法等の縮小方法により１／１６（本実施例ではｎ＝１６としたがこれに限定されない）のサイズに縮小処理して作業用メモリ５の画像領域の１６個の簡易画像に貼り付け合成する。
なお、簡易画像への貼り付け方法として、全ての簡易画像に１／１６のサイズのタイトルを貼り付ける方法（図６）、何コマかおきに簡易画像に１／１６のサイズのタイトルを貼り付ける方法（図９）、タイトル画像をさらに１／１６に分割して分割されたタイトル画像を１つづつ１６個の簡易画像に貼り付ける方法（図１１）が挙げられるが、これらの方法に限定されない。また、これらの合成方法のフローチャートを図５，図８，図１２に示す。
【００３４】
ステップＳ１６：動画表示
作業用メモリ５の画像領域に記憶された簡易画像データ（Ｙ，Ｃｂ，Ｃｒデータ）［１］，［２］，・・・，［１６］を順次拡大して表示部８に送出して表示部８でイメージデータ化し、液晶ディスプレイ９に表示する。これにより、上記ステップＳ１３で動画に対応するタイトルがあった場合には、タイトルと合成された１６個の簡易画像［１］，［２］，・・・，［１６］が動画表示される（図７，図１０）。また、上記ステップＳ１３で動画に対応するタイトルがない場合には、タイトルなしの動画が表示される。
【００３５】
図３は動画表示用簡易画像データの記憶方法の一実施例の説明図であり、作業用メモリ５の画像領域には１６個の画像の簡易画像データが順次記憶されている。
なお、上記ステップＳ１１でタイトル対応リストに動画の先頭画像の記録位置と動画番号を登録し、上記ステップＳ８で図４に示すようなタイトル対応リストに動画と対応づけてタイトルの格納位置とサイズを登録し、上記ステップＳ１３でタイトル対応リストを参照してタイトルの有無を調べるようにしてもよい。
【００３６】
図４はタイトル対応リストの一実施例の構造図であり、タイトル対応リスト７０は動画グループの番号を格納する動画番号欄７１、動画グループの最初の簡易画像の記録メモリ７上の記録位置を格納する動画先頭位置欄７２、記録メモリ７上のタイトル画像の記録位置を格納するタイトル位置欄７３、タイトル画像の大きさを格納するサイズ欄７４等を有している（この他に簡易画像上の合成位置を格納する欄を設けることが望ましい）。
【００３７】
＜実施例１＞  タイトル合成処理（１）
図５はタイトル合成処理（図２のステップＳ１５）の一実施例の動作を示すフローチャートであり、全ての簡易画像に１／１６のサイズのタイトルを貼り付ける例である。
【００３８】
ステップＴ１：記録用メモリ７に記録されている画像（圧縮画像データ）を読み出す。
【００３９】
ステップＴ２：次に、読み出した記録画像を圧縮／伸張部６で画像を伸張する（記録画像が１６個の簡易画像の配列の場合には、同時に１６個の簡易画像が伸張されることとなる）。タイトル画像がある場合は、同時にタイトル用画像領域に読出して、伸張して記録される。
【００４０】
ステップＴ３：伸張した画像が動画画像か否かを調べる。動画画像の場合にはＴ４に遷移する。
【００４１】
ステップＴ４：作業用メモリ５のタイトル用画像領域に記憶した再生タイトル画像を読み出して１／１６に縮小する。
【００４２】
ステップＴ５：タイトルのサイズと簡易画像の背景部分を比較してタイトル貼り付け位置を求める。
【００４３】
ステップＴ６：縮小したタイトル画像を簡易画像中の上記ステップＳ５で求めた貼り付け位置に貼り付け合成する。
【００４４】
ステップＴ７：作業用メモリ５の画像領域の全領域（すなわち、全ての簡易画像）について上記ステップＴ５，Ｔ６の処理を繰り返し、処理を終了する（図６）。
【００４５】
図６はタイトル合成後の作業用メモリの画像領域の内容の説明図であり、上記ステップＴ５〜Ｔ７により全ての簡易画像［１］，［２］，・・・，［１６］にタイトルが貼り付け合成されている様子を示す。
【００４６】
また、図７はステップＳ１５で上述（ステップＴ１〜Ｔ７）のように全ての簡易画像に１／１６のサイズのタイトルを貼り付けて、ステップＳ１６で動画表示した例である。図７の例では全ての簡易画像にタイトル「全社コンペ優勝」が付けられているので、動画表示中タイトル「全社コンペ優勝」が動画と共に表示される。
【００４７】
＜実施例２＞  タイトル合成処理（２）
図８はタイトル合成処理の一実施例の動作を示すフローチャートであり、１コマおきに簡易画像に１／１６のサイズのタイトルを貼り付けることにより、表示時にタイトルを点滅させる例である。
【００４８】
図８の合成処理は、図５のフローチャートのステップＴ６のあとにステップＴ６’を付加した点以外、他のステップ（Ｔ１〜Ｔ７）は図５のフローチャートと同様である。すなわち、ステップＴ６で簡易画像に縮小画像を貼り付け合成した後、ステップＴ６’で簡易画像領域を一つ飛ばして１コマおきに簡易画像に縮小画像を貼り付け合成するようにしている。これにより、合成簡易画像を再生すると１コマおきに動画と共にタイトルが順次現われるので、あたかも点滅するように見えるタイトル表示となる。
【００４９】
図９はタイトル合成後の作業用メモリの画像領域の内容の説明図であり、上記ステップＴ５，Ｔ６，Ｔ６’およびＴ７により１コマおきに簡易画像［１］，［３］，［５］・・，［１５］にタイトルが貼り付け合成されている様子を示す。
【００５０】
また、図１０はステップＳ１５で上述（Ｔ５，Ｔ６，Ｔ６’およびＴ７）のように１コマおきに簡易画像に１／１６のサイズのタイトルを貼り付けて、ステップＳ１６で動画表示した例である。図１０の例では１コマおきに簡易画像にタイトル「全社コンペ優勝」が付けられているので、動画表示中タイトル「全社コンペ優勝」が点滅しているかのように見える。
【００５１】
＜実施例３＞  タイトル合成処理（３）
図１１は分割されたタイトル画像の一例を示す図である。また、図１２はタイトル合成処理の一実施例の動作を示すフローチャートであり、タイトル画像をさらに１／１６に分割して分割されたタイトル画像を１つづつ１６個の簡易画像に貼り付けることにより表示時にタイトルを動画表示する例である。
【００５２】
図１２の合成処理は、図５のフローチャートのステップＴ４のあとにステップＴ４’を付加し、ステップＴ５のあとにステップＴ６”を付加した点以外、他のステップ（Ｔ１〜Ｔ５、Ｔ７）は図５のフローチャートと同様である。
すなわち、ステップＴ４でタイトル画像１１１（図１１）を縮小したあとステップＴ４’でタイトル画像を１／１６分割して分割タイトル画像［１］，［２］，・・・，［１６］を得る。また、ステップＴ６”で分割した縮小タイトル画像［１］，［２］，・・・，［１６］を作業用メモリ５の画像領域の各簡易画像に１対１に対応させて貼り付け合成するようにしている。これにより、合成簡易画像を再生すると（本実施例では左から）動画と共に順次現われるかのように見えるタイトル表示となる。
【００５３】
タイトル画像は、キーボード等により入力された文字データ、外部機器から入力されたデータに基づいて作成するようにしてもよい。また、上記実施例では、動画再生時に、タイトル合成処理を行うようにしたが、別個にタイトル合成モードを設け、このモード下で図５、図８、図１２に示すような合成処理を行い、タイトルが合成された簡易画像を記録用メモリに記録するようにしてもよい。つまり、この場合、再生時は、ステップＳ１３〜Ｓ１５の処理はいらなくなる。
【００５４】
以上本発明の一実施例について説明したが、本発明は上記実施例に限定されるものではなく、種々の変形実施が可能であることはいうまでもない。
【００５５】
【発明の効果】
以上説明したように、第１の発明のタイトル合成方法および第５の発明のデジタルカメラによれば、取込まれた連続画像を縮小した画像にタイトルを縮小して貼付して合成するので、従来できなかった動画表示時のタイトル表示ができるようになった。
【００５６】
また、第２の発明のタイトル合成方法は、縮小したタイトル画像を記録されている複数の縮小画像にそれぞれ対応させて順次合成するので、動画表示の際タイトルが明瞭に表示される。
【００５７】
また、第３の発明タイトル合成方法は、縮小したタイトル画像を記録されている複数の縮小画像に対しｍコマおきに合成するので、動画表示の際にタイトルが点滅するように見えるため、注意を喚起する画像を表示することが可能となった。
【００５８】
また、第４の発明のタイトル合成方法は取得したタイトル画像を複数に分割して、分割したタイトル画像の各々を記録されている複数の縮小画像に１対１に順次合成する（タイトル画像の一部を画像に貼り付けることができる）ので、動画表示の際にタイトルを動的に表示できるようになった。
【図面の簡単な説明】
【図１】本発明を適用したデジタルカメラの回路構成例を示すブロック図である。
【図２】デジタルカメラの動画モード時の基本的動作を示すフローチャートである。
【図３】動画表示用簡易画像データの記憶方法の一実施例の説明図である。
【図４】タイトル対応リストの一実施例の構造図である。
【図５】タイトル合成処理の一実施例の動作を示すフローチャートである。
【図６】タイトル合成後の作業用メモリの画像領域の内容の説明図である。
【図７】動画表示の一実施例を示す図である。
【図８】タイトル合成処理の一実施例の動作を示すフローチャートである。
【図９】タイトル合成後の作業用メモリの画像領域の内容の説明図である。
【図１０】動画表示の一実施例を示す図である。
【図１１】分割されたタイトル画像の一例を示す図である。
【図１２】タイトル合成処理の一実施例の動作を示すフローチャートである。
【符号の説明】
５  作業用メモリ（メモリ）
１００  デジタルカメラ
１１１  タイトル画像
［１］〜［１６］  簡易画像（縮小画像）
【図１】
0003915264.tif 000002
【図２】
0003915264.tif 000003
【図３】
0003915264.tif 000004
【図４】
0003915264.tif 000005
【図５】
0003915264.tif 000006
【図６】
0003915264.tif 000007
【図７】
0003915264.tif 000008
【図８】
0003915264.tif 000009
【図９】
0003915264.tif 000010
【図１０】
0003915264.tif 000011
【図１１】
0003915264.tif 000012
【図１２】
0003915264.tif 000013